(57)【要約】  複数のクラウン・ファセット（3−5）で囲まれたテーブル平面（2）を中心に有するクラウン（1）と、尖ったキューレット（8）と、複数のパビリオン・ファセット（9−12、17）とを有するパビリオン（6）と、クラウン（1）とパビリオン（6）間にあるガードル（7）とを有するカットされた宝石、準宝石、鉱石であって、パビリオン・ファセットが、尖ったキューレット（8）と、ガードル（7）とキューレット（8）間にある中間位置（13−16）との間に延在する少なくとも1つの端部ファセット（9−12）を有することを特徴とする宝石、準宝石、鉱石。
2008541800.tif 000002
【特許請求の範囲】
【請求項１】
- 複数のクラウン・ファセット（3−5）で囲まれたテーブル平面（2）を中心に有するクラウン（1）と、
- 尖ったキューレット（8）と、複数のパビリオン・ファセット（9−12、17）とを有するパビリオン（6）と、
- 上記クラウン（1）と上記パビリオン（6）との間にあるガードル（7）と
を有するカットされた宝石、準宝石、鉱石であって、
上記パビリオン・ファセットが、上記尖ったキューレット（8）と、上記ガードル（7）と上記キューレット（8）間にある中間位置（13−16）との間に延びた少なくとも1つの端部ファセット（9−12）を有することを特徴とする準宝石、鉱石を含む宝石。
【請求項２】
上記キューレット（8）に対して上記各端部ファセットの反対側に1つの端部ファセット（9−12）が位置していて、上記テーブル平面（2）に垂直な方向に対して所定の角度（α）で上記クラウン（1）を通って入射される光（18）が、1回目に1つの端部ファセット（12）で反射して上記反対側の端部ファセット（10）に向かって像が投影され、その場所において光が2回目の反射をしてその像が上記クラウンを通って投影され、各端部ファセットの上記中間位置（13−16）が上記ガードル（7）と上記キューレット（8）間に位置していて、上記2回目の反射によって生じる各端部ファセットの像の全体が、上記クラウンの上記テーブル平面（2）を通って投影されることを特徴とする、請求項1に記載の宝石。
【請求項３】
少なくとも1つの端部ファセット（9−12）が、上記テーブル平面（2）に対して25−52°の角度方向に延びていることを特徴とする、請求項1または2に記載の宝石。
【請求項４】
上記クラウン・ファセットが上記テーブル平面に対して25−80°の角度に配置されていて、上記端部ファセットが上記テーブル平面に対して36−41°の角度方向に延びていることを特徴とする、請求項2または3に記載の宝石。
【請求項５】
上記尖ったキューレットのまわりに、十字、またはロゼット、または多角形の形態に配置された複数の端部ファセットを有することを特徴とする、請求項1−4のいずれか1項に記載の宝石。
【請求項６】
上記端部ファセットが、上記尖ったキューレットに対して対称的に配置されていることを特徴とする、請求項5に記載の宝石。
【請求項７】
上記端部ファセットが、上記尖ったキューレットに対して非対称的に配置されていることを特徴とする、請求項5に記載の宝石。
【請求項８】
クラウンをファセット・カットし、テーブル平面が中心にあって複数のクラウン・ファセットで囲まれているようにする工程と、パビリオンをファセット・カットし、尖ったキューレットと、複数のパビリオン・ファセットとを形成する工程と、上記クラウンと上記パビリオンとの間にガードルを形成する工程を含む宝石のカット法であって、上記パビリオンの少なくとも1つのファセットを、上記尖ったキューレットから上記ガードルと上記パビリオン間にある中間位置まで延びる端部ファセットの形態にカットする工程を含む方法。
【請求項９】
上記キューレットに対して上記各端部ファセットの反対側に位置する1つの端部ファセットをカットする工程を含むことを特徴とする、請求項8に記載の方法。
【請求項１０】
各端部ファセットを上記テーブル平面に対して25−52°の角度にカットすることを特徴とする、請求項8または9に記載の方法。
【請求項１１】
クラウンをファセット・カットする上記工程が、クラウン・ファセットを上記テーブル平面に対して25から80°の角度にして形成することを含み、各端部ファセットをカットする上記工程が、上記テーブル平面に対して36−41°の角度でカットすることを特徴とする、請求項10に記載の方法。
【発明の詳細な説明】
【技術分野】
【０００１】
本発明は、
- 複数のクラウン・ファセットで囲まれたテーブル平面（table plane）を中心に有するクラウンと、
- 尖ったキューレットと、複数のパビリオン・ファセットとを有するパビリオンと、
- クラウンとパビリオンとの間にあるガードルと
を有するカットされた宝石、準宝石、鉱石に関する。
【背景技術】
【０００２】
このようなカット石はよく知られている。例えばダイヤモンド、その中でもブリリアント・カットされたダイヤモンド、特にラウンド・ブリリアント・カットと呼ばれるカットによるダイヤモンドを挙げることができる。
【０００３】
特別な照明条件においてダイヤモンドを透過した光の反射による像を視覚化できる宝石の観察装置も知られている（例えば日本国特開平6-174648を参照のこと）。
【０００４】
このような装置でダイヤモンドのクラウン側を上方から観察すると、“アロー”と呼ばれる現象を観察することができる。すなわちパビリオン・ファセットの配置状態に関する反射され、変形された射影が観察される。ラウンド・ブリリアント・カットに従ってカットされたダイヤモンドでは、8つの“アロー”が観察されることになる。パビリオン・ファセットの数を増やすと、10の“アロー”を観察できるであろう（例えば日本国特開2004-299370を参照のこと）。しかしカットをこのように変更しても、光がダイヤモンドのパビリオン・ファセットで反射された後にクラウンを通過して投影される像の変形は避けられない。
【０００５】
【特許文献１】日本国特開平6-174648
【特許文献２】日本国特開2004-299370
【発明の開示】
【発明が解決しようとする課題】
【０００６】
本発明は、従来技術による上述のような欠点のない、観察装置で非変形像を観察できるカット石を開発することを目的とする。望ましいことに、このようにカットされた石は輝きが向上し、そのカットにより、さまざまに異なる独自の正しい像を投影することができよう。
【課題を解決するための手段】
【０００７】
これらの問題を解決するため、冒頭に示したようなカット石を用意し、このカット石において、パビリオン・ファセットが、尖ったキューレットと、ガードルとキューレット間にある中間位置との間を延びる少なくとも1つの端部ファセットを有するようにカットする。端部ファセットは、尖ったキューレットから中間位置まで延びていることが好ましい。したがって端部ファセットは、ガードルまで延在しない。それにより、従来技術により、観察装置を用いて非変形像を観察できるように端部ファセットを配置することが可能である。なぜなら通常にカットされたダイヤモンドで実際に起こっているように像がクラウン・ファセットを通過して反射されることはもはや不可能だからである。
【０００８】
したがって、端部ファセットのカットによって決まる形態またはシンボルを示す像を宝石に与えることが可能になる。宝石を普通に使用するとき、すなわち台に取り付けた宝石の形態で宝石を使用するとき、例えば品質ラベルまたは出所ラベルに対応する独自のシンボルを目に見えないように付与することによって、1回の生産において宝石を特徴づけることができる。
【０００９】
本発明の改良された一実施態様によれば、キューレットに対して各端部ファセットの反対側に1つの端部ファセットが位置していて、テーブル平面に垂直な方向に対して所定の角度でクラウンを通って入射される光は、1回目に1つの端部ファセットで反射して反対側の端部ファセットに向かって像が投影され、その場所において光が2回目の反射をしてその像が上記クラウンを通って投影され、しかも各端部ファセットの中間位置は、ガードルとキューレット間に位置していて、2回目の反射によって生じる各端部ファセットの像の全体が、クラウンのテーブル平面を通って垂直に投影される。この構成では、パビリオンの端部ファセットの反射像は、完全に平坦で反射された光線に垂直なクラウンのテーブル平面を通って投影されるために、いかなる光学的変形も起こらない。
【００１０】
本発明の好ましい一実施態様によれば、少なくとも1つの端部ファセットが、テーブル平面に対して25−52°の角度方向に延びている。この角度は36−41°であることが好ましい。例えば従来技術による観察装置を通った光がテーブル平面に対して約98°等の所定の角度で入射するとき、クラウン・ファセットはテーブルに対して25−80°の角度（33−37°が好ましい）に配置されていて、端部ファセットはテーブルに対して40−41°の角度方向に延在する。
【００１１】
このような条件において入射光の反射が最大になるので、宝石の輝きを明らかに向上させることができる。
【００１２】
本発明は、更に、クラウンをファセット・カットし、テーブル平面が中心にあって複数のクラウン・ファセットで囲まれているようにする工程と、パビリオンをファセット・カットし、尖ったキューレットと、複数のパビリオン・ファセットとを形成する工程と、クラウンとパビリオンとの間にガードルを形成する工程を含む宝石のカット法に関する。この方法は、パビリオンの少なくとも1つのファセットを、尖ったキューレットからガードルとパビリオンとの間にある中間位置まで延びる端部ファセットの形態にカットする工程を含むことを特徴とする。
【００１３】
本発明によるカット石の他の実施態様とそのカット法は、添付の請求項に示してある。
【００１４】
本発明の他の詳細な説明と特徴は、カット石に関して例示した添付の図面を参照して行なう以下の説明から明らかになるだろう。
【発明を実施するための最良の形態】
【００１５】
異なる図面で同じ要素または類似した要素は、同じ参照番号で示してある。
【００１６】
以下の説明は、カットされたダイヤモンドに関する。本発明が他のカット石（例えばルビー、エメラルドなど）にも関係することを理解する必要がある。
【００１７】
図1から理解されるように、図示ダイヤモンドは、複数のクラウン・ファセットで囲まれたテーブル平面2を中心に有するクラウン1を含む。これらクラウン・ファセットは、一般に、8つのスター・ファセット3と、8つのベゼル・ファセット4と、16のアッパー・ガードル・ファセット5とで構成されている。
【００１８】
図2にはパビリオン6が示されている。図3から理解されるように、パビリオンは、ガードル7または帯部によってクラウン1から離隔し、その先端は尖ったキューレット8で終わっている。
【００１９】
パビリオン6のファセットのうち、この明細書で端部ファセット9、10、11、12と呼ぶ4つのファセットが識別される。これらのファセットは、尖ったキューレット8との間に延在し、ここに示した特別なケースでは、キューレットそのものから、キューレット8とガードル7との間にある中間位置13、14、15、16まで延在する。換言すれば、これら端部ファセットは、普通にカットされたダイヤモンドのパビリオン・ファセットの場合とは異なり、ガードルまで延びていない。他のパビリオン・ファセットは、パビリオンのローワー・ガードル・ファセット17と呼ぶ。図示実施例では、端部ファセット9は他の端部ファセット10−12よりも長く、全体として枝部が非対称的な十字を形成していることに注意されたい。最後に、各端部ファセットに関し、キューレットとは反対側がカットされていることにも注意されたい。
【００２０】
図4ではクラウンが上を向いた状態でダイヤモンドが示されており、テーブル平面は水平である。ダイヤモンドは実際には従来技術による観察装置の中に設置されて、入射光を受ける。この実施例では、入射光の光線18は、水平方向に対して、すなわちテーブル平面2の平面に対して約98°の角度αを形成している。この光は、わずかに曲げられてベゼル・ファセット4を通過する。ベゼル・ファセットは、水平方向に対して例えば25−80°、その中でも特に33−37°の角度βにされている。
【００２１】
図4に示したこの実施例では、端部ファセット10と12は、水平方向に対して25−52°の角度γを形成するようにカットされている。この角度は36−41°であることが有利であり、40−41°であることが好ましい。
【００２２】
これらの角度は、さまざまな宝石の典型的な屈折率に合わせるべきであることに注意されたい。
【００２３】
図4から理解されるように、ベゼル・ファセット4によって屈曲した光線18は、端部ファセット12によって反対側にある端部ファセット10の方向に反射され、そこで新たに鉛直方向に反射してクラウンのテーブル平面2を通って投影される（すなわちクラウンに対して垂直に投影される）。したがって端部ファセット12の中間位置16は、その位置にぶつかる入射光も2回反射された後にテーブル平面2を通って投影されるように選択されている。したがって端部ファセットのいずれかの部分の像がクラウン・ファセットを通って投影されることが回避されるため、輝きが幾分か失われることが解消される。観察装置で観察できる像は、“アロー”型の光学的変形のない正確なものである。
【００２４】
キューレットの位置にダイヤモンドの中心がある。それを図4ではOという参照符号で示してある。入射光線が1回目に端部ファセット12で反射する位置は、参照符号Aで示してある。AがOを通る水平面に投影されると点A'になる。光線が2回目に反対側の端部ファセット10で反射される位置を参照符号Bで表わしてあり、Oを通る水平面へのこの光線の投影を参照符号B'で示してある。図4で確認できるように、距離OA'は距離OB'よりも大きい。これは、観察装置で視覚化される像が現物よりも小さいことを意味する。
【００２５】
図5に、端部ファセット9−12だけを下から見た図を示してある。観察装置の中でダイヤモンドを上から見たときに見える像を斜線で示してある。像が逆転していることに気づく。端部ファセット9と11の長さは、端部ファセット11のほうが短いにもかかわらず、より長い端部ファセット9の全体がこの端部ファセット11で反射されることが可能であるように決めた。すでに説明したように、何度も反射される間に像の寸法が小さくなるためにそれが可能である。
【００２６】
図6と図7は、本発明によるカット石の変形例を示す。これらの図面では、クラウン・ファセットとパビリオン・ファセットは、図1および図2の宝石とは異なる形態にされている。
【００２７】
端部ファセット9−12は、ここでも、キューレット8と、キューレットとガードル7の中間位置との間を延びている。これらのファセットはキューレットに対して対称的に配置され、同じ長さにわたって延在し、それぞれ不規則な細長い六角形を形成している。
【００２８】
図7には、図5と同様、従来技術による観察装置の中にこの宝石をクラウン側を上に向けて配置したときに観察できるはずの像が斜線で示されている。
【００２９】
本発明は、上記実施態様に限定されることなく、添付の請求項の範囲を逸脱することなくさまざまな変形が可能である。
【００３０】
例えば他の形態を持つ端部ファセットが、尖ったキューレットのまわりに、十字の形態だけでなく、ロゼットの形態に配置されたり、多角形形態に配置され得る。
【図面の簡単な説明】
【００３１】
【図１】本発明によるダイヤモンドのクラウンを上から見た図である。
【図２】図1に示したダイヤモンドのパビリオンを下から見た図である。
【図３】図2のダイヤモンドを矢印III-IIIの方向から見た側面図である。
【図４】図2のダイヤモンドを線IV-IVで切断した断面図である。
【図５】図1−図3に示したダイヤモンドのパビリオンの端部ファセットの図である。
【図６】本発明による別のダイヤモンドに関する図1と同様の図である。
【図７】本発明による別のダイヤモンドに関する図2と同様の図である。
【図１】
2008541800.tif 000003
【図２】
2008541800.tif 000004
【図３】
2008541800.tif 000005
【図４】
2008541800.tif 000006
【図５】
2008541800.tif 000007
【図６】
2008541800.tif 000008
【図７】
2008541800.tif 000009
【国際調査報告】
2008541800.tif 000010
2008541800.tif 000011
2008541800.tif 000012
2008541800.tif 000013